(57)【要約】【課題】通信端末の端末ロック及び解除を確実に行う。【解決手段】通信端末７０を含む通信システム１では、通信端末７０の解除コード生成部７２において生成される臨時解除コードをコアネットワークＮ１側に送信し、ＴＩＳＣＰ２０及びＩＰＳＣＰ３０において保持する構成とすることで、通信端末７０以外での臨時解除コードが保持されることとなった。したがって、端末ロック解除のためのＳＭＳが受信できず、通信端末７０のみで端末ロックの解除ができない場合であっても、ユーザがコアネットワークＮ１側から臨時解除コードを取得することが可能となるため、ユーザが臨時解除コードを直接入力して端末ロックの解除を行うことが可能となる。したがって、仮に通信端末７０がＳＭＳを受信できないような状況であっても、端末ロックの解除をより確実に行うことができる。【選択図】図３
2015177445.tif 000002
【特許請求の範囲】
【請求項１】
サーバ装置と通信端末とを含んで構成され、前記サーバ装置による遠隔操作によって前記通信端末の端末ロックを行う通信システムであって、
前記サーバ装置は、
前記通信端末に対して前記端末ロックを指示する端末ロック指示信号を送信する端末ロック指示手段と、
前記端末ロック指示信号を送信した前記通信端末から送信される前記端末ロックを解除するために用いられる解除コードを、前記通信端末を特定する情報に対応付けてする解除コード格納手段と、
を備え、
前記通信端末は、
前記サーバ装置から送信される前記端末ロック指示信号を受信する指示信号受信手段と、
前記端末ロック指示信号に基づいて、解除コードを生成する解除コード生成手段と、
前記解除コードを用いて自機をロックする端末ロック手段と、
前記解除コードを前記サーバ装置に対して送信する解除コード送信手段と、
を備える通信システム。
【請求項２】
前記解除コード生成手段は、ユーザによって事前に前記解除コードが設定されているかを判断し、事前に前記解除コードが生成されていない場合には臨時解除コードを生成し、
前記端末ロック手段は、前記解除コード又は前記臨時解除コードを用いて自機をロックし、
前記解除コード送信手段は、前記臨時解除コードが生成されている場合には、当該臨時解除コードを解除コードとして前記サーバ装置に対して送信する請求項１記載の通信システム。
【請求項３】
前記解除コード送信手段は、前記ユーザによって事前に解除コードが設定されている場合は、前記解除コードを前記サーバ装置に対して送信せず、前記臨時解除コードが生成されている場合は、当該臨時解除コードを解除コードとして前記サーバ装置に対して送信する請求項２記載の通信システム。
【請求項４】
サーバ装置による遠隔操作によって自機の端末ロックを行う通信端末であって、
前記サーバ装置から送信される端末ロック指示信号を受信する指示信号受信手段と、
前記端末ロック指示信号に基づいて、前記端末ロックを解除するために用いられる解除コードを生成する解除コード生成手段と、
前記解除コードを用いて自機をロックする端末ロック手段と、
前記解除コードを前記サーバ装置に対して送信する解除コード送信手段と、
を備える通信端末。
【請求項５】
サーバ装置と通信端末とを含んで構成され、前記サーバ装置による遠隔操作によって前記通信端末の端末ロックを行う通信システムによる端末制御方法であって、
前記サーバ装置の端末ロック指示手段によって、前記通信端末に対して前記端末ロックを指示する端末ロック指示信号を送信する端末ロック指示ステップと、
前記通信端末の指示信号受信手段において、前記サーバ装置から送信される前記端末ロック指示信号を受信する受信ステップと、
前記通信端末の解除コード生成手段において、前記端末ロック指示信号に基づいて、前記端末ロックを解除するために用いられる解除コードを生成する解除コード生成ステップと、
前記通信端末の端末ロック手段において、前記解除コードを用いて自機をロックする端末ロックステップと、
前記通信端末の解除コード送信手段において、前記解除コードを前記サーバ装置に対して送信する解除コード送信ステップと、
前記サーバ装置の解除コード格納手段において、前記端末ロック指示信号を送信した前記通信端末から送信される前記解除コードを、前記通信端末を特定する情報に対応付けてする解除コード格納ステップと、
を有する端末制御方法。
【発明の詳細な説明】
【技術分野】
【０００１】
本発明は、通信システム、この通信システムに含まれる通信端末、及び端末制御方法に関する。
【背景技術】
【０００２】
従来から、携帯電話等の通信端末を紛失した場合等を考慮して、通信端末を遠隔制御する方法が知られている（例えば、特許文献１参照）。また、近年では、スマートフォン又はタブレット端末等の高機能化された通信端末の遠隔操作に係るサービスも種々提供されている。このようなサービスでは、サービス提供者側のサーバから送信されるＳＭＳ（Short  Message  Service）を通信端末側で受信することを契機として、遠隔操作に係るアプリケーションを起動させると共にＳＭＳにより指示された処理を行うという方法が一般的に用いられる。この遠隔操作に係る処理方法は、ＯＭＡ（Open  Mobile  Alliance）等で標準化されている。上記の手法は、特に通信端末を紛失した際に通信端末をロック状態とし使用可能な機能を制限する際に好適に用いられる。
【先行技術文献】
【特許文献】
【０００３】
【特許文献１】特開２０１０−２５８５０４号公報
【発明の概要】
【発明が解決しようとする課題】
【０００４】
通信端末で端末ロックを行う場合、ユーザが設定した解除コード又は通信端末により自動的に生成された臨時解除コードが用いられる。ユーザが解除コードを設定した場合には、ユーザが当該解除コードを把握しているので、遠隔操作に係るＳＭＳを通信端末が受信できない場合には、ユーザが解除コードを直接通信端末に入力することで端末ロックの解除を行うことができる。しかしながら、通信端末において生成された臨時解除コードはネットワーク側へ通知がなされないため、ユーザが臨時解除コードを知ることができず、臨時解除コードを入力することで端末ロックを解除することはできず、端末ロックの解除ができないという問題があった。
【０００５】
本発明は上記を鑑みてなされたものであり、通信端末の端末ロック及び解除を確実に行うことが可能な通信端末、通信システム及び端末制御方法を提供することを目的とする。
【課題を解決するための手段】
【０００６】
上記目的を達成するため、本発明に係る通信システムは、サーバ装置と通信端末とを含んで構成され、前記サーバ装置による遠隔操作によって前記通信端末の端末ロックを行う通信システムであって、前記サーバ装置は、前記通信端末に対して前記端末ロックを指示する端末ロック指示信号を送信する端末ロック指示手段と、前記端末ロック指示信号を送信した前記通信端末から送信される前記端末ロックを解除するために用いられる解除コードを、前記通信端末を特定する情報に対応付けてする解除コード格納手段と、を備え、前記通信端末は、前記サーバ装置から送信される前記端末ロック指示信号を受信する指示信号受信手段と、前記端末ロック指示信号に基づいて、解除コードを生成する解除コード生成手段と、前記解除コードを用いて自機をロックする端末ロック手段と、前記解除コードを前記サーバ装置に対して送信する解除コード送信手段と、を備えることを特徴とする。
【０００７】
また、本発明に係る通信端末は、サーバ装置による遠隔操作によって自機の端末ロックを行う通信端末であって、前記サーバ装置から送信される端末ロック指示信号を受信する指示信号受信手段と、前記端末ロック指示信号に基づいて、前記端末ロックを解除するために用いられる解除コードを生成する解除コード生成手段と、前記解除コードを用いて自機をロックする端末ロック手段と、前記解除コードを前記サーバ装置に対して送信する解除コード送信手段と、を備えることを特徴とする。
【０００８】
上記の通信システム及び通信端末によれば、端末ロックを解除するために用いられる解除コードが通信端末の解除コード生成手段によって生成されると共に当該解除コードがサーバ装置に対して送信される。これにより、サーバ装置では、通信端末における端末ロックの解除に利用される解除コードを保持することができるため、例えば、遠隔操作により通信端末の端末ロックを解除することができない場合、サーバ装置で保持されている解除コードを利用して、端末ロックの解除を行うことができる。したがって、従来の構成と比較して、通信端末の端末ロック及び解除を確実に行うことが可能となる。
【０００９】
ここで、前記解除コード生成手段は、ユーザによって事前に前記解除コードを設定されているかを判断し、事前に前記解除コードが設定されていない場合には臨時解除コードを生成し、前記端末ロック手段は、前記解除コード又は前記臨時解除コードを用いて自機をロックし、前記解除コード送信手段は、前記臨時解除コードが生成されている場合には、当該臨時解除コードを解除コードとして前記サーバ装置に対して送信する態様とすることができる。
【００１０】
上記のように、解除コードがユーザによって事前に設定されている場合には当該解除コードを用い、解除コードが設定されていない場合には臨時解除コードを生成すると共に、ユーザによって設定された解除コード又は解除コード生成手段によって生成された臨時解除コードを用いて端末をロックすると共にサーバ装置に対して送信する構成とすることで、ユーザによって解除コードが設定されている場合には解除コードの生成が行われず、通信端末における処理量を低減することができる。
【００１１】
さらに、前記解除コード送信手段は、前記ユーザによって事前に解除コードが設定されている場合は、前記解除コードを前記サーバ装置に対して送信せず、前記臨時解除コードが生成されている場合は、当該臨時解除コードを解除コードとして前記サーバ装置に対して送信する態様とすることができる。
【００１２】
ユーザが事前に解除コードを設定している場合、この解除コードはユーザが把握をしていると考えられる。したがって、上記の態様とすることで、ユーザによって設定された解除コードをサーバ装置に送信しない構成とすることで、ユーザが設定された解除コードを通信端末から外部に送信することがなくなりセキュリティが向上すると共に、通信端末とサーバ装置間での通信量を低減することができる。
【００１３】
なお、本発明は、上記のように通信システムの発明として記述できる他に、以下のように端末制御方法の発明としても記述することができる。これはカテゴリが異なるだけで、実質的に同一の発明であり、同様の作用及び効果を奏する。
【００１４】
すなわち、本発明に係る端末制御方法は、サーバ装置と通信端末とを含んで構成され、前記サーバ装置による遠隔操作によって前記通信端末の端末ロックを行う通信システムによる端末制御方法であって、前記サーバ装置の端末ロック指示手段によって、前記通信端末に対して前記端末ロックを指示する端末ロック指示信号を送信する端末ロック指示ステップと、前記通信端末の指示信号受信手段において、前記サーバ装置から送信される前記端末ロック指示信号を受信する受信ステップと、前記通信端末の解除コード生成手段において、前記端末ロック指示信号に基づいて、前記端末ロックを解除するために用いられる解除コードを生成する解除コード生成ステップと、前記通信端末の端末ロック手段において、前記解除コードを用いて自機をロックする端末ロックステップと、前記通信端末の解除コード送信手段において、前記解除コードを前記サーバ装置に対して送信する解除コード送信ステップと、前記サーバ装置の解除コード格納手段において、前記端末ロック指示信号を送信した前記通信端末から送信される前記解除コードを、前記通信端末を特定する情報に対応付けてする解除コード格納ステップと、を有することを特徴とする。
【発明の効果】
【００１５】
本発明によれば、通信端末の端末ロック及び解除を確実に行うことが可能な通信端末、通信システム及び端末制御方法が提供される。
【図面の簡単な説明】
【００１６】
【図１】本発明の実施形態に係る通信システムの機能構成を示すブロック図である。
【図２】ＩＰＳＣＰ及びＴＩＳＣＰで保持される情報の例を示す図である。
【図３】通信システムに含まれる通信端末の機能を説明する図である。
【図４】通信システムに含まれる通信端末のハードウェア構成図である。
【図５】通信システムによる端末制御方法を説明するシーケンス図である。
【図６】通信端末における処理を説明するフローチャートである。
【発明を実施するための形態】
【００１７】
以下、添付図面を参照して、本発明を実施するための形態を詳細に説明する。なお、図面の説明においては同一要素には同一符号を付し、重複する説明を省略する。
【００１８】
図１は、本実施形態の実施形態に係る無線通信システムのシステム構成を示す図である。同図に示す通信システム１は、ユーザ情報管理装置１０、ＴＩＳＣＰ２０、ＩＰＳＣＰ３０、ＤＭＥ４０、ＭＰＮ５０、交換機６０及び通信端末７０を含んで構成される。このうち、ＴＩＳＣＰ２０、ＩＰＳＣＰ３０、ＤＭＥ４０、ＭＰＮ５０及び交換機６０は、通信端末７０が通信を行うためのコアネットワークＮ１を形成する。このコアネットワークＮ１に含まれる装置は、本実施形態におけるサーバ装置に相当する。このようにサーバ装置は複数の装置群によって構成されていてもよい。
【００１９】
通信システム１では、ユーザ情報管理装置１０からの要求に基づいて通信端末７０を遠隔操作して何らかの処理を実行し、実行結果をユーザ情報管理装置１０に対して送信するシステムである。なお、通信端末７０とは、ユーザによって携帯（所持）される端末であり、例えば、スマートフォン等の携帯電話機やタブレット型の端末が挙げられる。また、本実施形態における遠隔操作とは、通信端末７０を直接操作することなくコアネットワークＮ１側からの指示に基づいて通信端末７０に何らかの処理を実行させることをいう。ユーザ情報管理装置１０、ＴＩＳＣＰ（Terminal  Identification  Service  Control  Point）２０、ＩＰＳＣＰ（IP  Service  Control  Point)３０、ＤＭＥ（Device  Management  Equipment）４０、ＭＰＮ（Media  Processing  Node）５０、交換機６０及び通信端末７０は、それぞれ無線又は通信ネットワークを介した通信により情報の送受信が行われる。
【００２０】
ユーザ情報管理装置１０は、ユーザに対して通信端末７０を遠隔操作するサービスを提供する装置である。ユーザ情報管理装置１０が提供するサービスとは、ここでは、通信端末７０を通常の使用状態からロック状態に切り替えて、通信端末７０の使用を制限する端末ロックサービスが挙げられる。すなわち、通信システム１において、遠隔操作によって通信端末７０に実行される処理としては、例えば、ロック状態への切り替え等が挙げられる。ロック状態への切り替えとは、スクリーンのロック、各種スイッチによる操作の制限等が挙げられる、そのうちの一部（例えばスクリーンロックのみ）であってもよい。
【００２１】
通信システム１では、ユーザ情報管理装置１０からの指示に基づいて、遠隔操作によって通信端末７０をロック状態に切り替えられる。また、通信端末７０をロック状態から通常状態に復帰させるには、コアネットワークＮ１側からの遠隔操作による端末ロック解除の指示を通信端末７０が受信する方法、又は、ユーザが通信端末７０に対して解除コードを入力する方法が一般的に用いられる。本実施形態に係る通信システム１では、通信端末７０をロック状態から復帰させるための解除コード（パスワード）を通信端末７０側で準備し、コアネットワークＮ１側でこれを管理する構成を備える。
【００２２】
ＴＩＳＣＰ２０は、使用中の通信端末７０に係る情報を管理する機能を有する。本実施形態の通信システム１では、通信端末７０をロック状態としている場合には、これを示す情報が通信端末７０を特定する情報（例えば、ＩＭＥ：端末識別番号）に対応付けて格納される。また、通信端末７０がロック状態になる前に通信端末７０で生成された解除コードも、通信端末７０を特定する情報に対応付けて格納される。すなわち、ＴＩＳＣＰ２０は、解除コード格納手段としての機能も備える。ＴＩＳＣＰ２０に格納される解除コードは、ユーザ情報管理装置１０からの要求に応じて適宜提供される。図２は、ＴＩＳＣＰ２０で解除コードを格納する場合の例を示す図である。図２に示すように、通信端末７０を特定するＩＭＥに対応付けて、各端末のロック状態を解除するための解除コードが格納されている。このように、ＴＩＳＣＰ２０は、通信端末７０の解除コードに係る情報を保持する。
【００２３】
ＩＰＳＣＰ３０は、加入者ユーザ及び通信端末７０に関する情報を保持管理する機能を有し、各ノードに対してサービス制御機能を提供するＩＰサービス制御装置である。また、通信端末７０がロック状態になる前に通信端末７０で生成された解除コードは、ＴＩＳＣＰ２０と同様に、通信端末７０を特定する情報に対応付けて格納される。具体的には、ＩＰＳＣＰ３０においてもＴＩＳＣＰ２０と同様に図２に示すような形式で通信端末７０の解除コードを保持することができる。すなわち、ＩＰＳＣＰ３０は、解除コード格納手段としての機能も備える。
【００２４】
ＤＭＥ４０は、ＴＩＳＣＰ２０と連携して、遠隔操作によって通信端末７０の設定変更等を実施する機能を有する。ＤＭＥ４０によって行われる通信端末７０の遠隔操作内容としては、ロック状態への切り替え及び復帰、初期化、位置情報の取得等が挙げられる。すなわち、ＤＭＥ４０は、通信端末７０への端末ロックを指示する端末ロック指示手段として機能する。
【００２５】
ＭＰＮ５０は、ＳＭＳ（Short  Message  Service）や留守番電話などの付加サービスを提供する機能を有する。遠隔操作によって通信端末７０に対して何らかの処理を実行させる場合、その開始を指示する遠隔操作開始信号はＳＭＳが用いられる。遠隔操作によって通信端末７０に何らかの処理を実行させるための通信は、ＯＭＡ（Open  Mobile  Alliance）等で標準化されていて、遠隔操作開始信号にＳＭＳが用いられることも規定されている。ＭＰＮ５０は、遠隔操作を開始する場合には、ＤＭＥ４０からの指示に基づいて、通信端末７０に対してＳＭＳを送信する。
【００２６】
通信端末７０が通信を行う際に利用する交換機６０としては、３Ｇ網では、パケット交換サービス用の交換機であるＳＧＳＮ（Serving  GPRS  Support  Node)、及び、パケット交換サービスにおける接続処理を行う交換機であるＧＧＳＮ（Gateway  GPRS  Support  Node）が挙げられる。また、ＬＴＥ（Long  Term  Evolution）網では、モビリティ制御、ベアラ制御機能などを提供する交換機であるＭＭＥ（Mobility  Management  Entity)が挙げられる。本実施形態に係る通信システム１は、特定の通信網に限定して適用されるシステムではないため、ここではＳＧＳＮ又はＭＭＥを交換機６０として説明する。
【００２７】
次に、本実施形態に係る通信システム１において特徴をなす通信端末７０について図３及び図４を参照しながら説明する。通信端末７０は、図３に示すように、通信部７１（指示信号受信手段、解除コード送信手段）、解除コード生成部７２（解除コード生成手段）、端末ロック部７３（端末ロック手段）、及び解除コード記憶部７４を含んで構成される。また、通信端末７０は、物理的には、図４に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。通信端末７０は、図４に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで、各装置における一連の機能が実現される。以下、図３に戻り、通信端末７０の各部の機能について詳細を説明する。
【００２８】
通信部７１は、他の装置と通信を行う機能を有する。具体的には、交換機６０を介してＤＭＥ４０からの遠隔操作開始信号（本実施形態では、端末ロックを指示する端末ロック指示信号）を受信すると共に、ＤＭＥ４０からの指示に対して応答を送信する機能を有する。後述の解除コード生成部７２によって生成された解除コードを用いて端末ロックを実行した場合は、端末から応答信号に、解除のためのパスワードとして用いられる解除コードが送信される。
【００２９】
解除コード生成部７２は、ＤＭＥ４０からの遠隔操作開始信号が端末ロックに係る指示である場合に、必要に応じて解除コードの生成を行う。通信端末７０のユーザが端末ロックからの復帰のための解除コードを過去に設定している場合には、ロック状態からの復帰のための解除コードを新たに生成しなくてもよい。一方、通信端末７０のユーザが解除コードを過去に設定してない場合には、解除コード生成部７２によって新たに解除コードが生成される。解除コードの生成方法は特に限定されず、例えば、文字列をランダムに生成する態様とすることができる。なお、解除コード生成部７２によって生成される解除コードは臨時に用いられる解除コードである。すなわち、一度の端末ロックに対して１つの解除コードが臨時に生成されると共に端末ロック状態から復帰する、すなわち、端末ロックが解除されると、臨時に生成された解除コードの使用は停止され、破棄される。
【００３０】
端末ロック部７３は、ＤＭＥ４０からの遠隔操作開始信号が端末ロックに係る指示である場合に、端末のロック動作を行う機能を有する。このとき、端末ロック部７３はロック状態からの復帰のために必要なパスワードとして、ユーザによって設定された解除コード、又は、解除コード生成部７２において生成された解除コードを設定する。
【００３１】
解除コード記憶部７４は、ユーザによって設定された解除コード、又は、解除コード生成部７２において生成された解除コードを格納する機能を有する。解除コード記憶部７４に格納される解除コードは、ユーザによって入力された文字列場合に、当該文字列が解除コードに相当するかの照合に用いられる。
【００３２】
次に、上記の通信システム１による端末制御方法について、図５及び図６を参照しながら説明する。図５は、遠隔操作によって通信端末７０をロック状態にする場合の一連の処理について説明するシーケンス図であり、図６は、端末ロックに係る通信端末７０での動作を説明するフローチャートである。
【００３３】
図５に示すように、遠隔操作によって通信端末７０をロック状態にする旨の指示は、ユーザ情報管理装置１０からＩＰＳＣＰ３０に対して送信される（Ｓ１０１）。ユーザ情報管理装置１０から通信端末７０をロック状態にするための指示は、例えば、ユーザが通信端末７０を紛失した場合であって、第三者に通信端末７０が使用されることを防止するために、通信事業者によって通信端末７０の使用を一時停止する場合に行われる。
【００３４】
ユーザ情報管理装置１０から通信端末７０の端末ロック指示が送信されると、ＩＰＳＣＰ３０において、端末情報の確認が行われる（Ｓ１０２）。ここでは、通信端末７０の在圏情報や契約情報が確認される。次に、ＩＰＳＣＰ３０からＤＭＥ４０に対して通信端末７０に対して自機をロック状態にするための遠隔制御指示のための信号の送信を指示する（Ｓ１０３）。ＤＭＥ４０は、ＩＰＳＣＰ３０からの指示に基づいて、ＭＰＮ５０に対して、通信端末７０への遠隔操作開始信号に対応するＳＭＳの送信を指示（ＤＭＭＰ：ＳＭＳ−ＳＵＢＭＩＴ）する（Ｓ１０４：端末ロック指示ステップ）。
【００３５】
ＭＰＮ５０は、ＤＭＥ４０からの指示に基づいて、交換機６０に対してＳＭＳの送信を指示（ＳＭＳ−Ｐｕｓｈ）する（Ｓ１０５：端末ロック指示ステップ、受信ステップ）ことで、交換機６０から通信端末７０に対してＳＭＳ（Ｐｋｇ＃０）が送信される（Ｓ１０６：端末ロック指示ステップ）。ＳＭＳは、通信端末７０の通信部７１によって受信される。その後、ＤＭＥ４０、ＭＰＮ５０、交換機６０及び通信端末７０の間でＳＭＳ送信完了を伝える一連の通信が行われた（Ｓ１０６〜Ｓ１０８：端末ロック指示ステップ）後に、通信端末７０とＤＭＥ４０との間で指示内容（端末ロック）に係る通信（ＤＭ制御：Ｐｋｇ＃１及びＰｋｇ＃２）が行われる（Ｓ１０９、Ｓ１１０：端末ロック指示ステップ）。
【００３６】
その後、通信端末７０において、解除コードの確認（Ｓ１１１：解除コード生成ステップ）及び端末ロック（Ｓ１１２：端末ロックステップ）が行われる。このとき通信端末７０で行われる処理を、図６に示す。まず、通信端末７０の解除コード生成部７２では、端末ロックを解除するための解除コードが設定されているかを確認する（Ｓ２０１）。解除コードが設定されているか否かは、解除コード記憶部７４に解除コードが格納されているかにより確認することができる。ここで、解除コードが既に設定されている、すなわち、ユーザによって解除コードが登録されている場合（ＹＥＳ）は、ユーザによって設定された解除コードを端末ロック解除のパスワードとして用いると判断される（Ｓ２０２）。一方、ユーザによって解除コードが設定されていない場合（ＮＯ）は、解除コード生成部７２によって臨時に用いられる解除コード（臨時解除コード）が生成される（Ｓ２０３）。その後、端末ロック部７３によって、端末のロックが行われる（Ｓ２０４）。以上により、解除コードをパスワードとして使用した端末ロックが行われる（図５のＳ１１１、Ｓ１１２）。これにより、通信端末７０の動作が制限された状態となる。
【００３７】
通信端末７０の端末ロックが行われた後、通信端末７０の通信部７１とＤＭＥ４０との間で、端末ロック処理が完了した旨を伝える通信が行われる（Ｓ１１３、Ｓ１１４：解除コード送信ステップ）。このとき、通信端末７０の端末ロックの際に、通信端末７０によって生成された解除コード（臨時解除コード）が用いられている場合には、臨時解除コードが解除コードとして通信端末７０からＤＭＥ４０に対して通知される。なお、端末ロックにユーザが設定した解除コードが用いられた場合は、解除コードをＤＭＥ４０に対して、すなわちコアネットワークＮ１側に通知する態様としてもよいし、通知しない態様としてもよい。ユーザが解除コードを設定している場合には、ユーザがその解除コードを記憶していると考えられるので、コアネットワークＮ１側がその情報を保持しなくても、ユーザによって解除コードを使用することができるからである。したがって、セキュリティ向上の観点から、ユーザが設定した解除コードはコアネットワークＮ１側に送信しない構成とすることが好ましい。
【００３８】
ＤＭＥ４０は、通信端末７０の端末ロックに係る動作が終了した旨をＩＰＳＣＰ３０に通知する（Ｓ１１５）。このとき、臨時解除コードがある場合には、これもＩＰＳＣＰ３０に通知する。次に、ＩＰＳＣＰ３０は、ユーザ情報管理装置１０に対して、端末ロック指示（Ｓ１０１）に対して、端末ロックが完了した旨を通知する（Ｓ１１６）。このとき、臨時解除コードがある場合には、併せて通知される。
【００３９】
その後、ユーザ情報管理装置１０は、対象の通信端末７０が端末ロック状態となったことをＴＩＳＣＰ２０へ通知する（Ｓ１１７）。このとき、通信端末７０で生成された臨時解除コードもＴＩＳＣＰ２０へ送信される。ＴＩＳＣＰ２０では、ユーザ情報管理装置１０からの情報に基づいて、通信端末７０が端末ロック状態であることを記憶すると共に、通信端末７０を特定する情報に対応付けて臨時解除コードを保持し、通信端末７０に係る情報を更新する（Ｓ１１８：解除コード格納ステップ）。さらに、ＴＩＳＣＰ２０からＩＰＳＣＰ３０に対しても臨時解除コードを含む通信端末７０の情報が送信され（Ｓ１１９）、通信端末７０に係る情報が更新される（Ｓ１２０：解除コード格納ステップ）。そしてその結果がＩＰＳＣＰ３０からＴＩＳＣＰ２０に対して送信されることで（Ｓ１２１）、端末ロックに係る処理が終了する。
【００４０】
これまでの処理で、通信端末７０において生成された臨時解除コードはユーザに通知されていない。したがって、ユーザが通信端末７０のロック状態を解除するためには、臨時解除コードを取得する必要がある。ここで、ユーザ情報管理装置１０にも臨時解除コードが通知されるため（Ｓ１１６）、ユーザ情報管理装置１０が臨時解除コードを保持する構成とすることにしてもよいが、ユーザ情報管理装置１０では臨時解除コードを保持する構成とはせずに、ユーザからの要求に基づいてＴＩＳＣＰ２０に対して問い合わせることで、ＴＩＳＣＰ２０から臨時解除コードを取得する構成（Ｓ１２２）としてもよい。このような構成とすることで、ユーザは、ユーザ情報管理装置１０介して臨時解除コードを取得して、当該臨時解除コードを用いて通信端末７０の端末ロックを解除することができる。
【００４１】
本実施形態に係る通信システム１による端末制御方法による作用効果について説明する。上記の通信システム１によって通信端末７０の遠隔操作を行う場合、上述したように、ＳＭＳを用いた通信端末７０に対して処理の実行が指示される。この遠隔操作に係る通信は、ＯＭＡ（Open  Mobile  Alliance）等で標準化されている通信である。そして、通信端末７０では、当該ＳＭＳの受信を契機として、端末ロック等のＳＭＳによって指定された処理を実行する。
【００４２】
通信端末７０の遠隔操作は、全て遠隔操作開始信号であるＳＭＳを通信端末７０が受信することを契機に行われる。したがって、遠隔操作で通信端末７０の端末ロックを解除する場合には、コアネットワークＮ１側から通信端末７０に対して、端末ロックの解除を指示するＳＭＳを送信し、通信端末７０がこれを受信することで、処理が実行される。
【００４３】
ここで、通信端末７０においてＳＭＳを受信するためには、通信端末７０のＯＳ（Operating  System）側の制約により、所定のサイズ（例えば、１ＭＢ）のメモリ領域を確保しておく必要がある。したがって、ＳＭＳを受信して通信端末７０の端末ロックを行った場合、遠隔操作により通信端末７０の端末ロックを解除するためには、解除に係る遠隔操作開始信号となるＳＭＳを受信する必要がある。
【００４４】
遠隔操作を行わずに通信端末７０の端末ロックを解除する方法としては、端末ロックの際に用いた解除コードをユーザが通信端末７０に対して入力する方法が従来から用いられている。しかしながら、従来の端末ロックの方法では、ユーザが予め解除コードを設定している場合には通信端末７０においてランダム生成された臨時解除コードを用いて端末ロックが行われていた。しかしながら、通信端末７０がランダム生成した臨時解除コードは通信端末７０のみで保持され、コアネットワークＮ１側に送信されることはなかった。したがって、通信端末７０で生成された解除コードをユーザが知ることはできず、解除コードの入力による端末ロックの解除ができない仕様が一般的であった。このような仕様が一般的とされていたのは、従来、ＳＭＳを受信することができなくなることが想定されていなかったためである。
【００４５】
従来からの通信端末７０の使用方法では、ＳＭＳを受信するために必要な程度のメモリ領域が失われるまで通信端末７０のメモリを使用することはないと考えられていたため、ＳＭＳの受信に支障が出ることは想定されていなかった。しかしながら、近年の通信端末７０の使用方法においては、ユーザがネットワークを介してデータをダウンロードする機会が増加しているため、ユーザが気付かないうちにＳＭＳを受信するためのメモリ領域が失われる程度までメモリを使用している事象が発生することがある。また、通信端末７０を紛失している状況の場合には、悪意ある第三者によってＳＭＳ受信ができなくなる状態まで通信端末７０のメモリが使用不能な状態にされる可能性も考えられる。この場合、遠隔操作によって通信端末７０において処理を実行させるための契機となる遠隔操作開始信号としてのＳＭＳを通信端末７０が受信することができなくなるため、遠隔操作による通信端末７０のロック解除を行うことができない可能性が生じる。
【００４６】
ユーザが解除コードを予め設定している場合には、上述したように、ユーザによる解除コードの直接入力によるロック解除が可能である。しかし、従来の仕様では、ユーザが解除コードを設定していない場合は、端末ロック時に生成された臨時解除コードをユーザが知ることができなかった。したがって、通信端末７０が端末ロックの解除を指示するＳＭＳを受信できない場合に、通信端末７０を再度使用するためには通信端末７０の初期化等が必要となる。このように、臨時解除コードが通信端末７０側のみで保持されるために、通信端末７０の端末ロックの解除が確実に実行できない可能性があった。
【００４７】
これに対して、本実施形態に係る通信端末７０を含む通信システム１では、通信端末７０の解除コード生成部７２において生成される臨時解除コードをコアネットワークＮ１側に送信し、ＴＩＳＣＰ２０及びＩＰＳＣＰ３０において保持する構成とすることで、通信端末７０以外での臨時解除コードが保持されることとなった。したがって、端末ロック解除のためのＳＭＳが受信できず、通信端末７０のみで端末ロックの解除ができない場合であっても、ユーザがコアネットワークＮ１側から臨時解除コードを取得することが可能となるため、ユーザが臨時解除コードを直接入力して端末ロックの解除を行うことが可能となる。したがって、仮に通信端末７０がＳＭＳを受信できないような状況であっても、特に端末ロックの解除をより確実に行うことができる。
【００４８】
また、上記の通信システム１のように、解除コードがユーザによって事前に設定されている場合には当該解除コードを用い、解除コードが設定されていない場合には解除コード生成部７２において臨時解除コードを生成すると共に、ユーザによって設定された解除コード又は解除コード生成部７２によって生成された臨時解除コードを用いて端末をロックすると共に端末ロックに用いた解除コードを通信端末７０からコアネットワークＮ１側のＤＭＥ４０に送信して、ＴＩＳＣＰ２０及びＩＰＳＣＰ３０において保存する構成とすることで、ユーザによって解除コードが設定されている場合には解除コードの生成が行われず、通信端末における処理量を低減することができる。
【００４９】
さらに、ユーザによって解除コードが設定されている場合にはコアネットワークＮ１側へ解除コードを送信せず、解除コード生成部７２において解除コードが生成された場合には送信する態様とした場合、ユーザが設定された解除コードを通信端末から外部に送信することがなくなりセキュリティが向上すると共に、通信端末とコアネットワークＮ１側のサーバ装置間での通信量を低減することができる。
【００５０】
以上、本発明の好適な実施形態について説明したが、本発明に係る通信システム１は種々の変更を行うことができる。
【００５１】
上記実施形態では、通信端末７０において、ユーザによって予め解除コードが設定されている場合には解除コードを生成しない構成とされていたが、遠隔操作によって通信端末７０の端末ロックを行う場合には、解除コード生成部７２が一律臨時解除コードを生成する構成としてもよい。この場合、ユーザによって解除コードを予め設定する必要はなく、遠隔操作によって端末ロックが行われる度に通信端末７０によって単回使用の臨時解除コードが生成され、この臨時解除コードを用いて端末ロックが行われると共にコアネットワークＮ１側へ送信する態様とすることができる。
【符号の説明】
【００５２】
１…通信システム、１０…ユーザ情報管理装置、２０…ＴＩＳＣＰ、３０…ＩＰＳＣＰ、４０…ＤＭＥ、５０…ＭＰＮ、６０…交換機、７０…通信端末、７１…通信部、７２…解除コード生成部、７３…端末ロック部、７４…解除コード記憶部。
【図１】
2015177445.tif 000003
【図２】
2015177445.tif 000004
【図３】
2015177445.tif 000005
【図４】
2015177445.tif 000006
【図５】
2015177445.tif 000007
【図６】
2015177445.tif 000008